(57)【要約】      （修正有）【課題】悪臭軽減、もれ防止をかねそろえた、人工肛門用、ストマー専用ポケット付き衣類を提供することを目的とするものである。【解決手段】表地１と裏地２とからなり、肩部７を有したスリップ６である、ストマー専用ポケット衣類であって、前記裏地２の内側にストマー袋５を収納する、収納部３を備え、前記収納部３の左右中心がストマー袋５の使用者の臍部の近傍に位置し、前記肩部７が前記収納部３の上下方向の位置を調整する為の調整部を有し、裏地２、および、前記収納部３は、消実効果のある布で作られた、ストマー専用ポケット付き衣類。【選択図】図１
2014234582.tif 000002
【特許請求の範囲】
【請求項１】
表地と裏地とからなり、肩部を有したストマー専用ポケット衣類であって、前記裏地の内側にストマー袋を収納する、収納部を備えたストマー専用ポケット付き衣類。
【請求項２】
前記収納部の左右中心がストマー袋の使用者の臍部の近傍に位置する請求項１に記載のストマー専用ポケット付き衣類。
【請求項３】
前記肩部が前記収納部の上下方向の位置を調整する為の調整部を有する請求項１又は請求項２に記載のストマー専用ポケット付き衣類。
【請求項４】
前記裏地、および、前記収納部は、消実効果のある布で作られた、請求項１〜３のいずれか、１項に記載のストマー専用ポケット付き衣類。
【発明の詳細な説明】
【技術分野】
【０００１】  本発明は、人工肛門に取り付けて排泄物を貯留する、ストマー袋（廃物処理用袋）を、より快的に使用して頂くための衣類に関するものである。
【背景技術】
【０００２】  従来より、腹部に設けた、人工肛門には常時、ストマー袋を取り付けており、同肛門より排泄出される廃物をこの袋内に収納処理している。種々のストマー袋のカバーが提供されているが、ストマー袋本体だけを包み隠すカバーであり、もれ防止対策などの機能などはない。また、ストマー全体をおおいかぶさる大きなパンツに円状に開いた穴がありそこからストマー袋を出し着用できるものが通常である。さらに、腹包き状の布にストマー袋をはさんで納めるものがあるが使用者にとっては密着するため不快である。また、パンツ前面内部にポケットの付いたものもあるが、ウェストがゆるいゴムの為、袋に貯った排泄物の重みを受け支えるには不十分である。（例えば、特許文献１を参照）
【先行技術文献】
【特許文献】
【０００３】
【特許文献１】実開平３−４１２２号公報
【発明の概要】
【発明が解決しようとする課題】
【０００４】  女性、男性にとって、ストマー袋を強調したカバー、パンツしか無く、着用者にとって本来のフッション性があり、機能に優れたものは無い。【０００５】  本発明は上記課題を解決するものであり、悪臭軽減、もれ防止を備えた、人工肛門用、ストマー専用ポケット付き衣類を提供することを目的とするものである。
【課題を解決するための手段】
【０００６】  上記課題を解決する為に、本発明のストマー専用ポケット付き衣類は、表地と裏地とからなり、肩部７を有したストマー専用ポケット衣類であって、前記裏地の内側にストマー袋を収納する、収納部を備えたことを特徴とする。
【発明の効果】
【０００７】  本発明のストマー専用ポケット付き衣類によれば、スリップ、Ｔシャツのデザインは両肩からの安定した支えがあるため、裏地の内側に設けたポケットにストマー袋と保特する際、多量の排泄物の重みを体感することなく、確実に保護し、人工肛門からのパウチの外れをも防止することができる。【０００８】  また、表地はデザイン性のあるものを、裏地は臭消効果のある布地を二重構造することで、もれ対策もでき、今までにない、優れた効果が栄られる。【０００９】  また、生活活動中に貯留した排泄物が、もれた場合の防止体制も消臭機能が整っているので、子供から老人、男女問わず、毎日安心して快的に使用でき、ストレスを解消することができる。【００１０】  さらに、ストマー袋と肌との接触をも防止するために汗等による不快感なども解消することができる。【００１１】  また、汚れた場合、洗濯し再生して繰り返し着用することができる。しかも本発明のストマー専用ポケット付き衣類は構造が簡単であり、色々なデザインのものも、製造も可能である。また、低廉な価格で、提供することが出来る、優れた効果が期待できる。
【図面の簡単な説明】
【００１２】
【図１】本発明の実施例を示すストマー専用ポケット付き衣類の構成を示す図である。
【図２】同ストマー専用ポケット付き衣類のポケットの位置を示す図である。
【図３】同ストマー専用ポケット付き衣類の他の実施例を示す図である。
【図４】図１の側面図である。
【図５】本発明の他の実施例を示す図である。
【発明を実施するための形能】
【００１３】  図１〜５を用いて実施例を説明する。
【００１４】  本発明のストマー専用ポケット付き衣類の実施例としてスリップ及び、Ｔシャツを例に挙げて説明する。
【００１５】  図１に示すように、スリップ６の構造として、表地１、裏地２の二重構造で作成し、この裏２に消臭効果のある布を使用し、内側（身体側）にストマー袋５を収納するポケット３（収納部）を作成する。
【００１６】  ストマー袋５は、ストマー袋５の使用者により右側、左側と個人差があるので、ポケット３の左右中心がストマー袋５使用者の臍部９の近傍に位置するように計算して作成する。
【００１７】  この衣類は、肩部７からの支えがあるため、ストマー袋５に貯まる排泄物の重みを完全に、受け止められるので安定感がある。
【００１８】  また、図１のポケット３は、縦寸法が約２０ｃｍ、横寸法が１８ｃｍの長方形が望ましく、裏地２の内側に取り付け、ストマー袋５を入れ納められるように作成する。
【００１９】  ストマー袋５が右側、左側に付いている、個人差にも対応できるように、ポケット３の左右の中心がストマー袋５の使用者の臍部９の近傍に位置するように、ポケット３が作成されている。
【００２０】  図１〜図４に示するように、スリップ６、Ｔシャツ１１は、標準サイズに対して、肩部７から、ストマー袋５を受け止める役割をするポケット底８の距離Ｈ１が、約６８ｃｍになる様に計算し、着用した際に、お臍９とポケット３の入口１０との距離Ｈ２が約５ｃｍになるように、デザイン、計算して作成すると、ストマー袋５の排泄物の重みを体感することなく、日常生活には望ましい体制が整う。
【００２１】  ストマー袋５を上記サイズで、作成すると、ストマー袋５は、ビニール袋の為、無形なので、ストマー袋５、自体がポケット３の形に、合わさり受け納まるので問題はない。
【００２２】  また、肩部７にポケット３の上下方向の位置を調整できるよう、アジャスター１３、またはホック１４（調整部）を付けることも可能である。
【００２３】  図５に示すように、スリップ６の表地１には、健常者と同じように華やかで、フッションセンスのある柄１２、デザインを取り込れ、今までになかった、お洒落を楽しんで着用できるようにする。
【００２４】  また、ストマー袋５は、沢山の種類があるが、世界各国共通である。よってこのスリップ６、Ｔシャツ１１などは、全てのストマー袋５に対応できる、優れたものである。さらに、男性、女性、子供から老人まで、ストマー袋５使用者に、このスリップ６、Ｔシャツ１１は対応できる有効なものである。上記実施例では、スリップ６、またはＴシャツ１１等の下着について、説明したが下着に限らず、ストマー袋５使用者の下着以外の衣類にも適用できる。世界のストマー袋５を使用する院内患者にも医療用として最適である。
【産業上の利用可能性】
【００２５】  本発明のストマー専用ポケット付き衣類は、ストマー袋使用者の衣類として、有用なものであり、スリップ、Ｔシャツ、以外にも、あらゆる衣類に利用可能である。
【符号の説明】
【００２６】１    表地
２    裏地
３    ポケット
５    ストマー袋
６    スリップ
７    肩部
８    ポケット底
９    お臍
１０  ポケット入口
１１  Ｔシャツ
１２  柄
１３  アジャスター
１４  ホック
【図１】
2014234582.tif 000003
【図２】
2014234582.tif 000004
【図３】
2014234582.tif 000005
【図４】
2014234582.tif 000006
【図５】
2014234582.tif 000007